(57)【要約】【課題】側面衝突時に、ボディ骨格系やサイドドアによって衝撃荷重を分散させていてもボディ骨格系に必要以上の衝撃荷重が加わることを防ぐと共に、側突パッドがシートロッドを支点にして回転することを防ぐ。【解決手段】車両側部のサイドドア２内に設けられている側突パッド３が車室内のシートロッド４に対向するように配置されている。側突パッドの第２の側突パッド３２のシートロッドに対向する部位は、有底穴３２ａが設けられると共に当該有底穴内には車幅方向に沿って底部から互いに平行に延びた１つ以上のリブ３３が設けられている。シートロッドの側突パッドに対向する部位は、第２の側突パッドの有底穴に嵌合するように形成されている先端部４１と、先端部が衝撃荷重により有底穴の所定深さまで移動すると第２の側突パッドの有底穴を包囲する包囲壁３２ｂに当接するように形成されている段差部４２とから構成されている。さらに、リブ３４は先端側の部位の厚みがそれ以外の部位の厚みよりも薄く形成されている。【選択図】図１
2018024270.tif 000002
【特許請求の範囲】
【請求項１】
車両側部のサイドドア内に設けられている側突パッドが車室内のシートロッドに対向するように配置され、側面衝突時に前記側突パッドが前記シートロッドを押圧すると、その衝突エネルギによる衝撃荷重が当該シートロッドに伝達される自動車の衝撃吸収構造において、
前記側突パッドの前記シートロッドに対向する部位は、有底穴が設けられると共に当該有底穴内には車幅方向に沿って底部から互いに平行に延びた１つ以上のリブが設けられ、
前記シートロッドの前記側突パッドに対向する部位は、前記有底穴に嵌合するように形成されている先端部と、前記先端部が前記衝撃荷重により前記有底穴の所定深さまで移動すると前記側突パッドの前記有底穴を包囲する包囲壁に当接するように形成されている段差部とから構成され、
前記リブは先端側の部位の厚みがそれ以外の部位の厚みよりも薄く形成されていることを特徴とする自動車の衝撃吸収構造。
【請求項２】
前記リブは、前記先端側の部位の外縁が全体に亘って切り欠かれた階段状の切り欠きが設けられていることを特徴とする請求項１記載の自動車の衝撃吸収構造。
【請求項３】
前記リブは、先端から根元に向かって暫時厚くなるように形成されていることを特徴とする請求項１記載の自動車の衝撃吸収構造。
【発明の詳細な説明】
【技術分野】
【０００１】
本発明は、自動車の衝撃吸収構造に係り、特に、自動車の側面衝突時における衝突エネルギをサイドドア及びシートロッドで吸収することができる自動車の衝撃吸収構造に関する。
【背景技術】
【０００２】
従来、側面衝突時における衝突エネルギを吸収することができる自動車の衝撃吸収構造が知られている。このような衝撃吸収構造は、側面衝突の際にセンターピラー、ロッカー、フロアクロスメンバなどのボディ骨格系やサイドドアによって衝撃荷重を分散させることで、客室の変形を効率的な衝撃吸収性能によって抑えるように設計されている。
【０００３】
この中でサイドドアの場合、ドア内に側突パッドを設けた車種がある（例えば、特許文献１、特許文献２参照。）。このサイドドア内に側突パッドを設けた自動車の衝撃吸収構造は図７に示すように、サイドドア５１内で側突パッド５２がインパクトビーム５３に並設されている。なお、「並設」とは、近接させて一列にそろえ、並べて設けることを意味する。また、側突パッド５２はシートロッド５４に対向配置されている。このように構成された自動車の衝撃吸収構造では、側面衝突時に側突パッド５２がシートロッド５４を押圧することで、その衝撃荷重がシートロッド５４に伝達されることになる。
【先行技術文献】
【特許文献】
【０００４】
【特許文献１】特開２００９−１９６４３４号公報
【特許文献２】国際公開第２０１３／１８７４９０号
【発明の概要】
【発明が解決しようとする課題】
【０００５】
しかしながら、背景技術に記載した自動車の衝撃吸収構造では、車両側部に何らかの構造体１００が衝突すると、インパクトビーム５３に対する側突パッド５２の配置状態によっては、側突パッド５２がインパクトビーム５３を支点にして回転してしまう難点があった。なお、図示では、実線が側面衝突前の図で、二点鎖線が側面衝突後の図である。
【０００６】
この場合、衝撃荷重をシートロッド５４に伝達させる荷重伝達効率が低下してしまうので、結果、乗員保護性能を低下させてしまうことになる。
【０００７】
本発明は、このような従来の難点を解消するためになされたもので、側面衝突時に、ボディ骨格系やサイドドアによって衝撃荷重を分散させていてもボディ骨格系に必要以上の衝撃荷重が加わることを防ぐことができると共に、側突パッドがインパクトビームを支点にして回転することを防ぐことができる自動車の衝撃吸収構造を提供することを目的とする。
【課題を解決するための手段】
【０００８】
上述の目的を達成する本発明の第１の態様である自動車の衝撃吸収構造は、車両側部のサイドドア内に設けられている側突パッドが車室内のシートロッドに対向するように配置され、側面衝突時に側突パッドがシートロッドを押圧すると、その衝突エネルギによる衝撃荷重が当該シートロッドに伝達される衝撃吸収構造である。
側突パッドのシートロッドに対向する部位は、有底穴が設けられると共に当該有底穴内には車幅方向に沿って底部から互いに平行に延びた１つ以上のリブが設けられている。
シートロッドの側突パッドに対向する部位は先端部と段差部とから構成されている。先端部は、有底穴に嵌合するように形成されている。段差部は、先端部が衝撃荷重により有底穴の所定深さまで移動すると、側突パッドの有底穴を包囲する包囲壁に当接するように形成されている。
リブは先端側の部位の厚みがそれ以外の部位の厚みよりも薄く形成されている。
【０００９】
このような第１の態様である自動車の衝撃吸収構造によれば、側面衝突時に側突パッドがシートロッド方向に移動していくと、最初に側突パッドのリブの先端がシートロッドの先端部に当接することから、側突パッドがシートロッドに当接するまでの空走距離が規定値以上になる前に衝撃荷重をシートロッドに伝達させることができるので、ボディ骨格系やサイドドアによって衝撃荷重を分散させていてもボディ骨格系に必要以上の衝突荷重が加わることを防ぐことが可能になり、この際、リブは先端側の部位の厚みがそれ以外の部位の厚みよりも薄く形成されていることから、側突パッドのインパクトビームを支点にした回転動作が始まる前に当該先端側の部位を圧潰させることが可能になるので、シートロッドの先端部を側突パッドの有底穴に確実に嵌合するように挿入させることができ、その後、シートロッドの段差部と側突パッドの包囲壁とを当接させることができるので、衝撃荷重をシートロッドに伝達させる荷重伝達効率を向上させることができるようになる。
【００１０】
本発明の第２の態様は第１の態様である自動車の衝撃吸収構造において、リブは、先端側の部位の外縁が全体に亘って切り欠かれた階段状の切り欠きが設けられている。また、本発明の第３の態様は第１の態様である自動車の衝撃吸収構造において、リブは、先端から根元に向かって暫時厚くなるように形成されている。
【００１１】
このような第２の態様及び第２の態様である自動車の衝撃吸収構造によれば、リブの前側部の耐力を後側部の耐力より低くできるので、前側部から圧潰させることができ、その結果第２の側突パッドの包囲壁がシートロッドの段差部に当接すると、リブの切り欠きが設けられていない耐力の高い根元側の部位がシートロッドの先端部に当接するので、側面衝突時の衝撃荷重を高剛性で受け止めることができるようになる。
【発明の効果】
【００１２】
本発明の自動車の衝撃吸収構造によれば、側面衝突時に、ボディ骨格系やサイドドアによって衝撃荷重を分散させていてもボディ骨格系に必要以上の衝撃荷重が加わることを防ぐことができると共に、側突パッドがインパクトビームを支点にして回転することを防ぐことができるようになる。したがって、衝撃荷重をシートロッドに伝達させる荷重伝達効率を向上させることができるようになるので、乗員保護性能を向上させることができるようになる。
【図面の簡単な説明】
【００１３】
【図１】本発明の自動車の衝撃吸収構造における好ましい実施の形態を示す図で、（Ａ）はこの衝撃吸収構造が適用された車両の概略背面図、（Ｂ）は（Ａ）に記載された衝撃吸収構造の拡大図である。
【図２】図１の衝撃吸収構造が適用された車両を示す概略側面図である。
【図３】本発明の自動車の衝撃吸収構造の構成要素である側突パッドの有底穴内に設けられたリブの具体例を示す説明図で、（Ａ）は第１の実施形態例である図１（Ｂ）の側突パッドの一部位を１点鎖線で囲んだＰ部の詳細図、（Ｂ）は第２の実施形態例の詳細図である。
【図４】本発明の自動車の衝撃吸収構造の構成要素である側突パッドをシートロッド側から見た斜視図で、（Ａ）は第１の実施形態を示す図、（Ｂ）は第２の実施形態を示す図である。
【図５】本発明の自動車の衝撃吸収構造の開発経緯を示す説明図で、（Ａ）は初期段階の図（Ｂ）は中期段階の図、（Ｃ）は最終段階の図である。
【図６】シートロッドに伝達される衝撃荷重の変化を示すグラフである。
【図７】従来の自動車の衝撃吸収構造の不具合点を示す説明図である。
【発明を実施するための形態】
【００１４】
以下、本発明の自動車の衝撃吸収構造を実施するための形態例について、図面を参照して説明する。なお、この発明を実施するための形態で使用する図１（Ａ）には図中において矢印で方向を示してあるが、これは運転席に着座した乗員から見た方向を示している。←Ｕｐは車両上方向、Ｏｕｔは車両車幅方向における外側方向をそれぞれ示している。また、図１において、（Ａ）は車両前方側から見た図、（Ｂ）は車両後方側から見た図である。さらに、図５（Ａ）、（Ｂ）、（Ｃ）も車両後方側から見た図である。
【００１５】
本発明の自動車の衝撃吸収構造は図１、図２に示すように、車両側部のサイドドア２内に設けられている側突パッド３が車室内のシートロッド４に対向するように配置され、何らかの構造体１０による側面衝突時に側突パッド３がシートロッド４を押圧すると、その衝突エネルギによる衝撃荷重が当該シートロッド４に伝達されるものである。なお、図示のサイドドア２は、所謂２列シート車のセカンドシートに隣接するドアで、自動車１の車両側部に設けたドア用開口部に対して開閉自在に取り付けられているものである（図２参照。）。
【００１６】
サイドドア２は、アウタパネル２１及びインナパネル２２で構成され、互いに接合されている。これらパネルの材質としては、薄い板厚で側面衝突に対する所定の剛性を確保できるアルミニウム等の金属板や樹脂製板材が採用されている。また、インナパネル２２の室内側に樹脂製のドアトリム２３が装着されている。さらに、アウタパネル２１とインナパネル２２との間には車両の前後方向に亘ってアウタパネル２１に固定されているインパクトビーム５（サイドインパクトバー）が設けられている。このインパクトビーム５は、側面衝突時の衝撃を緩和できる円筒状の金属製パイプや樹脂製パイプから構成され、側突パッド３と車両車幅方向に並設されるようにサイドドア内に配置されている。
【００１７】
側突パッド３は、第１の側突パッド３１及び第２の側突パッド３２から構成されている。第１の側突パッド３１はサイドドア２のアウタパネル２１とインナパネル２２との間に配置され、第２の側突パッド３２はインナパネル２２とドアトリム２３との間に配置されている。
【００１８】
このような第１の側突パッド３１及び第２の側突パッド３２は、分割化されても一体化されていてもよく、例えば、６６ナイロン（登録商標）、６ナイロン（登録商標）、ポリアセタール樹脂等の樹脂やアルミニウム等の金属から成るものである。これらパッドのうち第２の側突パッド３２がシートロッド４に当接するように配置されることになる。
【００１９】
第２の側突パッド３２は、シートロッド４に対向する部位に、有底穴３２ａが設けられると共に当該有底穴３２ａ内には車幅方向に沿って底部から互いに平行に延びた１つ以上のリブ３３が設けられている。このリブ３３は先端側の部位の厚みがそれ以外の部位の厚みより薄く形成されている。このリブ３３は図３（Ａ）に示すように、先端側の部位３３ａの外縁が全体に亘って切り欠かれた階段状の切り欠きが設けられている。また、リブは図３（Ｂ）に示すように、先端から根元に向かって暫時厚くなるように形成されているリブ３４でもよい。
【００２０】
このようなリブの数と共に当該リブの厚みや深さ方向の長さは、要求されている衝突エネルギの吸収能力によって異なるが、特に、リブの先端側の部位がシートロッド４に対して押圧を開始する衝撃吸収の初期段階では圧潰し易く設定しなければならない。これは、側突パッド３のインパクトビーム５を支点にした回転動作が始まる前に、後述するシートロッド４の先端部４１を第２の側突パッド３２の有底穴３２ａに確実に嵌合するように挿入させなければならないからである。
【００２１】
このように構成された第２の側突パッド３２にリブ３３が複数設けられている場合、例えば、図４（Ａ）に示すように、当該第２の側突パッド３２はサイドドア２の内面に平行な断面において、格子状の構造を有している。また、複数から成るリブ３３は、図４（Ｂ）に示すように、当該第２の側突パッド３２はサイドドア２の内面に平行な断面において、蜂の巣状のハニカム構造を有していてもよい。この図示のリブは図３（Ａ）に示す先端側の部位３３ａの外縁が全体に亘って切り欠かれた階段状の切り欠きが設けられているものを示しているが、図３（Ｂ）に示す先端３４ａから根元に向かって暫時厚くなるように形成されているリブ３４でも適用できることは言うまでもない。なお、図３（Ａ）においては一段の階段状を示しているが、これに限らず、二段以上の階段状でもよい。また、図４（Ｂ）に示すリブ３３は六角形に形成されているが、これに限らず、他の多角形であってもよい。
【００２２】
また、このようなリブ３３が有底穴３２ａに設けられた第２の側突パッド３２は、有底穴３２ａを包囲する包囲壁３２ｂが五角形状に形成されているが、これに限らず、どのような形状でもよい。また、リブ３３の高さは包囲壁３２ｂの高さと同じになるように形成され、リブ３２の先端面は包囲壁３２ｂの先端面と面一となっている。
【００２３】
このように第２の側突パッド３２を構成することで当該第２の側突パッド３２の剛性を高めることができるので、衝撃荷重の乗員への影響を低減させることができる。
【００２４】
なお、第１の側突パッド３１は、上述のように構成された第２の側突パッド３２と共に側面衝突時の衝突エネルギを効率よく吸収することができればどのような構造のものでもよいが、側面衝突時にインパクトビーム５に係合するような切欠部３１ａが設けられている。この切欠部３１ａは、図示では第１の側突パッド３１の上方側に設けられているが、これに限らず、側面衝突時にインパクトビーム５から伝達される衝突エネルギを、側突パッド３で吸収することができるように当該インパクトビーム５に係合させることができれば車両高さ方向においてどのような位置に設けられていてもよい。
【００２５】
また、このような第１の側突パッド３１及び第２の側突パッド３２から構成される側突パッド３は図１（Ｂ）に示すように、インナパネル２２に固定するためのフランジ部３３を有し、インナパネル２２に設けられた穴に第１の側突パッド３１及び第２の側突パッド３２の何れか一方を挿通させてフランジ部３３をインナパネル２２に固定させている。なお、図示では、第１の側突パッド３１を挿通させている。
【００２６】
シートロッド４は図１（Ａ）に示すように、シートの骨格となる金属製シートバックフレーム４０の構成部品で、左右一対のシートサイドフレーム４３の底部間を連結するものである。なお、図１（Ａ）において、右側のシートサイドフレームは図示していない。このようなシートロッド４の側突パッド３に対向する部位は図１（Ｂ）に示すように、先端部４１と段差部４２とから構成されている。先端部４１は、第２の側突パッド３２の有底穴３２ａに嵌合するように形成されている。段差部４２は、先端部４１が衝撃荷重により有底穴３２ａの所定深さまで移動すると、第２の側突パッド３２の包囲壁３２ｂに当接するように形成されている。
【００２７】
このように形成されたシートロッド４は、例えば、第２の側突パッド３２の有底穴３２ａに設けられたリブ３３に図３（Ａ）に示すような階段状の切り欠きが設けられている場合には、当該リブ３３の先端側の部位３３ａがシートロッド４の先端部４１に対して押圧を開始する衝撃吸収の初期段階と、第２の側突パッド３２の包囲壁３２ｂがシートロッド４の段差部４２に当接する最終段階とでは、当該リブ３３はシートロッド側から見た投影断面積が先端側の部位となる前側部３３ａより段差部となる後側部３３ｂの方が大きいことから、前側部３３ａの耐力の方が後側部３３ｂの耐力より低くなるので、前側部３３ａから圧潰させることができる。なお、第２の側突パッド３２の包囲壁３２ｂがシートロッド４の段差部４２に当接すると、リブ３３の切り欠きが設けられていない耐力の高い後側部３３ｂがシートロッド４の先端部４１に当接するので（図示ではシートロッド４を破線で示している。）、側面衝突時の衝撃荷重を高剛性で受け止めることができるようになる。
【００２８】
また、第２の側突パッド３２の有底穴３２ａに設けられたリブが図３（Ｂ）に示すような先端から根元に向かって暫時厚くなるように形成されているリブ３４の場合においても、前側部の耐力を後側部の耐力より低くできるので、上述のリブ３３のように前側部から圧潰させることができる。したがって、このリブ３４でも、第２の側突パッド３２の包囲壁３２ｂがシートロッド４の段差部４２に当接すると、リブ３４の耐力の高い後側部がシートロッド４の先端部４１に当接するので、側面衝突時の衝撃荷重を高剛性で受け止めることができるようになる。
【００２９】
このように機能するリブは、これら形状に限らず、前側部の厚みが後側部の厚みより薄く形成されていればどのような形状のものでも、上述のような作用、効果を得ることができることは言うまでもない。
【００３０】
このようなシートロッド４は、側面衝突時の衝撃荷重を、側突パッド３を介して高剛性で受け止めることができるので、当該側突パッド３の衝撃吸収機能を効率よく働かせることができる。
【００３１】
また、シートロッド４の先端とドアトリム２３との間、及びドアトリム２３と側突パッド３の第２の側突パッド３２との間にはそれぞれ、ドアの開閉時や走行中に異音が発生しないように所定幅の空間を設けなければならない。
【００３２】
このように構成された本発明の自動車の衝撃吸収構造の開発経緯について、図５（Ａ）、（Ｂ）、（Ｃ）を参照して説明する。本発明者は、側面衝突時に側突パッド３がインパクトビーム５を支点にして回転してしまうことを防ぐために、シートロッド４と側突パッド３とを嵌合させることを検討した。
【００３３】
開発当初、本発明者は図５（Ａ）、（Ｂ）に示すように、側突パッド３のシートロッド４に対向する部位に有底穴３２ａを設け、シートロッド４の側突パッド３に対向する部位に有底穴３２ａに嵌合するように形成されている先端部４１ａを有する凸状体を設けるような凹凸嵌合構造を検討した。
【００３４】
しかしながら、シートロッド４の先端とドアトリム２３との間、及びドアトリム２３と側突パッド３の第２の側突パッド３２との間にはそれぞれ、ドアの開閉時や走行中に異音が発生しないように所定幅の空間を設けなければならないので、何らかの構造体１０による側面衝突時に側突パッド３とシートロッド４とが当接するまでに空走距離Ｄが生じることなる。
【００３５】
このような空走距離Ｄは最低限必要になるので、この空走距離Ｄの規定値を確保するには、図５（Ａ）に示すように、さらに、シートロッド４の先端部４１の長さ分Ｄ１だけ増加させた空走距離Ｄ２にしなければならない。しかしながら、側突パッド３とシートロッド４に嵌合構造を設けても空走距離Ｄ２が規定値以上になるので、ボディ骨格系に必要以上の衝撃荷重が加わる確率が高くなる。
【００３６】
これに対して、図５（Ｂ）に示すように、空走距離Ｄが規定値以上にならないように設定すると、シートロッド４の先端とドアトリム２３との間の距離Ｄ３が短くなってしまうので、ドアの開閉時や走行中に異音が発生する確率が高くなる。
【００３７】
この不具合を解消するために、本発明者は図５（Ｃ）に示すように、側突パッド３とシートロッド４との空走距離Ｄを規定値にしてもこれらに凹凸嵌合構造を設けられるような本発明の自動車の衝撃吸収構造を開発することができた。
【００３８】
次に、このような衝撃吸収構造を有する自動車の側突時における衝突エネルギを吸収する動作について説明する。
何らかの構造体１０による側面衝突時に側突パッド３がシートロッド方向に移動していくと、最初に第２の側突パッド３２のリブ３３の先端がシートロッド４の先端部４１に当接するので、第２の側突パッド３２がシートロッド４の先端部４１に当接するまでの空走距離が規定値以上になる前に衝撃荷重をシートロッド４に伝達させることができる。したがって、ボディ骨格系やサイドドアによって衝撃荷重を分散させていてもボディ骨格系に必要以上の衝突荷重が加わることを防ぐことが可能になる。
【００３９】
また、第２の側突パッド３２のリブ３３がシートロッド４の先端部４１を押圧する際、リブ３３は前側部３３ａの厚みが後側部３３ｂの厚みよりも薄く形成されていることから、第１の側突パッド３１のインパクトビーム５を支点にした回転動作が始まる前に当該前側部３３ａを圧潰させることが可能になる。したがって、シートロッド４の先端部４１を第２の側突パッド３２の有底穴３２ａに確実に嵌合するように挿入させることができる。
【００４０】
その後、シートロッド４の段差部４２と第２の側突パッド３２の包囲壁３２ｂとを当接させることができるので、衝撃荷重をシートロッド４に伝達させる荷重伝達効率を向上させることができるようになる。
【００４１】
さらに、本発明の自動車の衝撃吸収構造と、従来の自動車の衝撃吸収構造とを用いて、国土交通省で公表した衝突条件による側面衝突試験をＣＡＥ（Computer Aided Engineering）でシミュレーションを行った結果を示す。このシミュレーションは、非線形動的構造解析ソフトウエアによる時刻歴応答解析で行った。また、シミュレーションに使用した自動車は、小型クラスのＳＵＶ（スポーツユーティリティヴィークル）タイプの５ドア用のフレームであり、衝撃荷重はＭＤＢ入力とする。ここで、ＭＤＢとは、側面衝突試験で使用するムービング・デフォーマル・バリア（Moving Deformable Barrier）のことである。
【００４２】
シミュレーションを行った結果を図６に示す。この図は、シートロッドに加わる衝撃荷重を示すグラフで、縦軸が衝撃荷重（単位は、ｋＮ〔キロニュートン〕）、横軸は時間（単位は、ｍｓ〔ミリ秒〕）であり、本発明の衝撃吸収構造が実線、凹凸嵌合構造が設けられていない従来の衝撃吸収構造が一点鎖線、凹凸嵌合構造のみが設けられている従来の衝撃吸収構造が破線で示してある。
【００４３】
シミュレーションによりシートロッドに加わる衝撃荷重を求めた結果は、本発明の衝撃吸収構造と凹凸嵌合構造が設けられていない従来の衝撃吸収構造では、側突パッドとシートロッドとの空走距離が規定値内でシートロッドに衝撃荷重が加わっていることが分かったが、凹凸嵌合構造のみが設けられている従来の衝撃吸収構造では、側突パッドとシートロッドとの空走距離が規定値を過ぎてからでないとシートロッドに衝撃荷重が加わらないことが分かった。
【００４４】
したがって、凹凸嵌合構造のみが設けられている従来の衝撃吸収構造では、ボディ骨格系に必要以上の衝撃荷重が加わる確率が高くなることが確認できた。
【００４５】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００４６】
２……サイドドア
３……側突ブラケット
３２ａ……有底穴
３２ｂ……包囲壁
３３……リブ
４……シートロッド
４１……先端部
４２……段差部
【図１】
2018024270.tif 000003
【図２】
2018024270.tif 000004
【図３】
2018024270.tif 000005
【図４】
2018024270.tif 000006
【図５】
2018024270.tif 000007
【図６】
2018024270.tif 000008
【図７】
2018024270.tif 000009